【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
抽選及び抽選遊技表示を行うための抽選遊技システムにおいて、
制御装置及び表示装置を有し、
前記制御装置は、始動入賞口の入賞を契機として始動信号を受けて抽選を行う抽選手段と、
該抽選手段における抽選結果を送出する送出手段と、
前記表示装置における表示を制御して前記抽選結果に対応する抽選遊技を表示させるための表示制御手段とを有し、
該表示制御手段は、
予め表示されている図柄捕捉候補群から、予め定められた特定数を越える数の前記図柄捕捉候補群を含む獲得候補となる第１の候補群を選択し、該第１の候補群のうちから一部の図柄候補群を除外して前記予め定められた特定数の前記図柄捕捉候補を含む第２の候補群を選択する動画表示を行い、
前記第２の候補群に同種の図柄候補群を前記予め定められた特定数含まれるか否かによって、前記抽選結果を示すことを特徴とする抽選遊技システム。
【請求項２】
請求項１に記載の抽選遊技システムにおいて、
前記表示制御手段は、選択された元を含む連続な空間及び該空間の境界を表示させることによって、前記候補群を選択した状態を示すことを特徴とする抽選遊技システム。
【手続補正２】
【補正対象書類名】明細書
【補正対象項目名】０００２
【補正方法】変更
【補正の内容】
【０００２】
【従来の技術】
従来から使用されているパチンコ遊技機などの遊技機では抽選遊技システムを備え、始動入賞口に遊技媒体（パチンコ遊技機の場合は、パチンコ玉である。）が入賞したときに、液晶ディスプレイ上でスロットマシーンに見立てた絵柄合わせゲームを実行し、例えば、「７」，「７」，「７」というように、特定の絵柄が揃った場合に、遊技者に有利な特別価値を付与するという抽選遊技を行うものが一般的である。
【手続補正３】
【補正対象書類名】明細書
【補正対象項目名】０００４
【補正方法】変更
【補正の内容】
【０００４】
【発明が解決しようとする課題】
しかしながら、このような従来の遊技機が備える抽選遊技システムでは、始動入賞口に遊技媒体が入賞した後に液晶ディスプレイ上で実行される遊技内容が、併設された３つの領域、または、マトリックス状に配列された９つの領域において、特定の絵柄を揃えるだけの単調なもので変化に乏しく、遊技者のスリルと興奮を十分に喚起することが難しいという問題があった。
【手続補正４】
【補正対象書類名】明細書
【補正対象項目名】０００５
【補正方法】変更
【補正の内容】
【０００５】
本発明は、このような従来技術が有する問題点に着目して発明されたものであり、始動入賞口への入賞などを契機として始動指示実行される抽選遊技及び該抽選遊技の進行状態の表示態様を遊技者の好奇心を刺激するものとすることができる抽選遊技システムを提供することを目的とする。
【手続補正５】
【補正対象書類名】明細書
【補正対象項目名】０００６
【補正方法】変更
【補正の内容】
【０００６】
【課題を解決するための手段】
上記目的を達成するために、本発明によれば、
抽選及び抽選遊技表示を行うための抽選遊技システムにおいて、
制御装置及び表示装置を有し、
前記制御装置は、始動入賞口の入賞を契機として始動信号を受けて抽選を行う抽選手段と、
該抽選手段における抽選結果を送出する送出手段と、
前記表示装置における表示を制御して前記抽選結果に対応する抽選遊技を表示させるための表示制御手段とを有し、
該表示制御手段は、
予め表示されている図柄捕捉候補群から、予め定められた特定数を越える数の前記図柄捕捉候補群を含む獲得候補となる第１の候補群を選択し、該第１の候補群のうちから一部の図柄候補群を除外して前記予め定められた特定数の前記図柄捕捉候補を含む第２の候補群を選択する動画表示を行い、
前記第２の候補群に同種の図柄候補群を前記予め定められた特定数含まれるか否かによって、前記抽選結果を示すことを特徴とする抽選遊技システムが提供される。
【手続補正６】
【補正対象書類名】明細書
【補正対象項目名】００１９
【補正方法】変更
【補正の内容】
【００１９】
また、始動入賞口３０５２は、「チャッカー」と通称され、そこへのパチンコ玉の入賞を契機に、制御装置３５００は始動信号に基づいて抽選を行い抽選結果を送出する。そして、該抽選遊技システムにおける抽選結果に応じた表示が表示装置６０６０によって行われ、抽選遊技が表示される。始動入賞口３０５２は、入賞口３０５０のように、パチンコ玉の入賞のし易さが変化しないようにしてもよいし、また、入賞口３０５１のように、パチンコ玉の入賞のし易さが変化し易い状態、および、変化し難い状態との２種類の状態に変化するようにしてもよい。
【手続補正７】
【補正対象書類名】明細書
【補正対象項目名】００２４
【補正方法】変更
【補正の内容】
【００２４】
さらに、図２に示すように、遊技領域には、始動入賞口３０５２にパチンコ玉が入賞したことを契機に与えられる始動指示に応じて実行された、抽選遊技システム６０００（図９参照）における制御装置３５００の抽選の結果を表示するための表示装置６０６０が設けられている。ここでは、表示装置６０６０として、カラー液晶ディスプレイを用いる例について説明する。また、表示装置６０６０としては、上記カラー液晶ディスプレイに代えて、若しくは、これに加えて、モノクロの液晶ディスプレイやＣＲＴディスプレイ、マルチセグメント発光素子（例えば、電光掲示板、複数の７セグメントＬＥＤを備える表示装置など）などを用いることもできる。
【手続補正８】
【補正対象書類名】明細書
【補正対象項目名】００２５
【補正方法】変更
【補正の内容】
【００２５】
本実施の形態に係るパチンコ遊技機においては、従来のパチンコ遊技機における絵柄合わせゲームとは異なり、抽選遊技システム６０００における制御装置による制御において、
予め表示されている図柄捕捉候補群から、予め定められた特定数を越える数の前記図柄捕捉候補群を含む獲得候補となる第１の候補群を選択し、該第１の候補群のうちから一部の図柄捕捉候補を除外して前記予め定められた特定数の前記図柄捕捉候補を含む第２の候補群を選択する動画表示を行い、
前記第２候補群に同種の図柄捕捉候補を前記予め定められた特定数含まれるか否かによって、前記抽選結果を示す。
【手続補正９】
【補正対象書類名】明細書
【補正対象項目名】００４０
【補正方法】変更
【補正の内容】
【００４０】
次に、抽選の指示が受付けられたことを契機に、図１６の（ｂ）に示すように、図柄が捕捉された状態であることを示すための捕捉図柄６２０１を表示し、捕捉候補群（上記集合Ｂに対応する）となる複数の図柄（ａ１からａ９）の一部が捕捉図柄によって捕捉された状態を表示する。これは、集合Ｓ１の選択に対応する。図１６の（ａ）では、図柄ａ４，ａ５，ａ６，ａ８，ａ９が捕捉された状態、すなわち、Ｓ１＝（ａ４，ａ５，ａ６，ａ８，ａ９）と選択された状態が描かれている。
【手続補正１０】
【補正対象書類名】明細書
【補正対象項目名】００４１
【補正方法】変更
【補正の内容】
【００４１】
次に、図１６の（ｃ）に示すように、上記捕捉図柄６２０１を領域Ａ１から領域Ａ２に移動しつつ、これに伴い捕捉された状態にある図柄（集合Ｓ１）のうち一部の図柄が捕捉から逃れてしまった状態（除外された状態）、すなわち、集合Ｓ２に属する元が選択された状態を表示する。
【手続補正１１】
【補正対象書類名】明細書
【補正対象項目名】００４２
【補正方法】変更
【補正の内容】
【００４２】
このとき、領域Ａ１から領域Ａ２まで移動されて、特定数の図柄（ここでは３つの図柄）が捕捉された状態となったとき、特定数の図柄が同種のものであるか否かによって抽選結果を示す。図１６では、図柄の属性として、その形状が、丸形、三角形、四角形、Ｘ形のいずれであるかがそれぞれの図柄について定義されている。従って、図１６の（ｃ）における状態では、丸形の図柄が３つ捕捉（集合Ｓ２に属する元として選択）されている。この状態を「大当たり」状態に対応付けて、抽選結果を示すことができる。
【手続補正１２】
【補正対象書類名】明細書
【補正対象項目名】００４５
【補正方法】変更
【補正の内容】
【００４５】
次に、図１８を参照して、表示される画面表示について説明する。遊技実行機構３０００における始動入賞口３０５２（チャッカー、図２参照、）にパチンコ玉が入賞したことを契機に、抽選遊技システム６０００における制御装置３５００の抽選の結果に対応して指示される。図１８において、捕捉具となる網６２０１が、作業キャラクタ６２０３によって、水面６２０７下に投げ入れられる状態が表示されている。このとき、網６２０１によって捕捉されている魚６１００（上記集合Ｓ１に属する元に対応する。）のうちに、同種のものが特定数（ここでは３）以上含まれていれば、「大当たり」となることが期待し得る状態、すなわち、「リーチ」と通称される状態となる。
【手続補正１３】
【補正対象書類名】明細書
【補正対象項目名】００５０
【補正方法】変更
【補正の内容】
【００５０】
このような、抽選遊技、および、抽選遊技における画面表示を行うことによって、抽選遊技、および、その進行状況に変化を与えることができ、特に、一旦選択された候補が減縮されて更に最終的な候補が選択されるという、従来とは全くことなるゲーム性を持たせることができ、遊技者の取り付きが向上し、また、遊技時間が長くなることが期待される。
【手続補正１４】
【補正対象書類名】明細書
【補正対象項目名】００５２
【補正方法】変更
【補正の内容】
【００５２】
さらに、図２に示すように、遊技領域には、表示部６０６０が抽選遊技の表示を実行している間に始動入賞口３０５２にパチンコ玉が入賞することを考慮して、始動入賞口３０５２に入賞したパチンコ玉の個数を最大４個まで表示するための入賞個数表示部３０９０が設けられており、表示装置６０６０が実行する抽選遊技を保証することができるようになっている。
【手続補正１５】
【補正対象書類名】明細書
【補正対象項目名】００５７
【補正方法】変更
【補正の内容】
【００５７】
そして、遊技者は、発射ハンドル３０２１を所望の角度だけ回転させると、発射玉受皿３０３０ｂに貯溜されているパチンコ玉は、玉弾き機構によって、該回転角度に応じた強さで、１個ずつ、自動的に発射されていく。発射されたパチンコ玉は、ガイドレール３０４０に案内されながら、遊技盤３０１０の上方に導かれる。遊技盤３０１０においては、パチンコ玉は、自由落下を始め、この落下途中で障害物３０７０等と衝突して、進路を不規則に変えていく。
【手続補正１６】
【補正対象書類名】明細書
【補正対象項目名】００５９
【補正方法】変更
【補正の内容】
【００５９】
また、始動入賞口３０５２にパチンコ玉が入賞すると、予め定めた個数（例えば、１０個）のパチンコ玉が、貯溜部３０３０の発射玉受皿３０３０ｂまたは予備玉受皿３０３０ｄに支払われると共に、上記入賞による抽選始動指示を契機として、抽選遊技システム６０００（図９参照）における制御装置において抽選が実行され、抽選結果に応じた抽選遊技表示が表示装置６０６０によって表示される。
【手続補正１７】
【補正対象書類名】明細書
【補正対象項目名】００６７
【補正方法】変更
【補正の内容】
【００６７】
上述の抽選遊技システム６０００は、始動信号を始動入賞口３０５２から受け、これを契機として、制御装置３５００において抽選を行い、該抽選結果信号を送出すると共に、該抽選結果に応じた抽選遊技の表示を表示装置６０６０によって実現する。また、制御装置３５００は、抽選結果が特別価値の発生を示すときは、上記変動入賞口３０５３を入賞可能状態に変化させ「当たり」状態を実現する。
【手続補正１８】
【補正対象書類名】明細書
【補正対象項目名】００６８
【補正方法】変更
【補正の内容】
【００６８】
なお、制御装置３５００と、抽選遊技システム６０００における抽選・制御部６０５０とを別々に構成される場合について説明しているが、抽選・制御部６０５０の機能を、制御装置３５００に置き換えた構成としても説明している。
【手続補正１９】
【補正対象書類名】明細書
【補正対象項目名】００８４
【補正方法】変更
【補正の内容】
【００８４】
図９に示すように、抽選遊技システム６０００は、該抽選遊技システム６０００の制御装置としてのプロセッサ６９０１とメモリ６９０２とを備えており、メモリ６９０２に格納されているプログラムをプロセッサ６９０１が実行することにより、その動作を実現する。
【手続補正２０】
【補正対象書類名】明細書
【補正対象項目名】００８５
【補正方法】変更
【補正の内容】
【００８５】
図１０は抽選遊技システム６０００における制御装置としてのプロセッサ６９０１における動作の流れを示すフローチャートである。
【手続補正２１】
【補正対象書類名】明細書
【補正対象項目名】００９２
【補正方法】変更
【補正の内容】
【００９２】
図１１は抽選遊技システム６０００における制御装置としてのプロセッサ６９０１が行うアタリ処理の処理フローチャートである。
【手続補正２２】
【補正対象書類名】明細書
【補正対象項目名】００９９
【補正方法】変更
【補正の内容】
【００９９】
図１２は抽選遊技システム６０００における制御装置としてのプロセッサ６９０１が行うハズレ処理の処理フローチャートである。
【手続補正２３】
【補正対象書類名】明細書
【補正対象項目名】０１１６
【補正方法】変更
【補正の内容】
【０１１６】
変数Ｎから「１」を減算した結果、変数Ｎの値が「１」となったか否かを判定し（ステップ１４０９）、「１」となっていない場合は、ステップ１４０３に戻り、「１」となった場合は、抽選遊技システム６０００に、変動入賞口３０５３の入賞可能状態への変化が全て終了した旨を示す終了信号を出力する（ステップ１４１０）。
【手続補正２４】
【補正対象書類名】明細書
【補正対象項目名】０１２４
【補正方法】変更
【補正の内容】
【０１２４】
【発明の効果】
以上説明したように、本発明の抽選遊技システムによれば、抽選遊技における画面表示の過程で、その進行状況に変化を与えることができ、特に、一旦選択された候補が減縮されて更に最終的な候補が選択される抽選結果を演出する抽選遊技（ゲーム）を行えることから、抽選遊技ゲームの進行過程をまったく新たなものとすることが可能となり、かつ、その進行状況を的確かつ容易に把握することができるようになり、遊技者の興奮をより一層喚起することができる。
【手続補正２５】
【補正対象書類名】明細書
【補正対象項目名】０１２５
【補正方法】削除
【補正の内容】
【手続補正２６】
【補正対象書類名】明細書
【補正対象項目名】０１２６
【補正方法】削除
【補正の内容】
【手続補正２７】
【補正対象書類名】明細書
【補正対象項目名】符号の説明
【補正方法】変更
【補正の内容】
【符号の説明】
３０００…遊技実行機構、３０１０…遊技盤、３０２０…発射装置、３０２１…発射ハンドル、３０３０…貯溜部、３０３０ａ…賞品玉排出口、３０３０ｂ…発射玉受皿、３０３０ｃ…賞品玉排出口、３０３０ｄ…予備玉受皿、３０４０…ガイドレール、３０５０〜３０５１…入賞口、３０５２…始動入賞口、３０５３…変動入賞口、３０６０…可変表示部、３０７０…障害釘、３０７１…風車、３０８０…アウト玉排出口、３０９０…入賞個数表示部、３３０２…表示ランプ、３５００…制御装置、３５０１…インタフェース部、３５０２…入賞口制御部、３５０３…特定入賞口制御部、３５０４…入賞個数表示部制御部、３５０５…変動入賞口制御部、３５０６…パチンコ玉支払制御部、３６０１…センサ、３６０２…信号出力部、３７０１…センサ、３７０２…信号出力部、３８０１…点灯部、３８０２…信号出力部、４３０１…センサ、４３０２…カウンタ、４３０３…信号出力部、４３０４…プロセッサ、４３０５…メモリ、４５０１…供給路、４５０２…支払制御部、６０００…抽選遊技システム、６０５０…抽選・制御部、６０５１…プロセッサ、６０５２…メモリ、６０６０…表示部、６１００…魚を示す表示図柄、６２０１…捕捉具（網）を示す表示図柄、６２０３…作業キャラクタを示す表示図柄、６２０５…船舶を示す表示図柄、６２０７…水面を示す表示図柄、ａ１〜ａ９…捕捉候補となる元を示す表示図柄。